(57)【要約】    【課題】  着衣中にＲＦＩＤ読取装置でＲＦＩＤボタンに記憶された情報を読取ることを防止し、プライバシーの保護をすることができるＲＦＩＤボタン付き衣服を提供することを目的とする。    【解決手段】  本発明に係るＲＦＩＤボタン付き衣服は、ＲＦＩＤ７を内蔵したＲＦＩＤボタン２を有する衣服であって、ボタンホール５にＲＦＩＤボタン２を留めることによってＲＦＩＤボタン２が通信不能となるＲＦＩＤ遮断部８を有するので、着衣中にＲＦＩＤ読取装置でＲＦＩＤボタン２に記憶された情報を読取ることを防止し、プライバシーの保護をすることができる。【選択図】  図１
2008018051.tif 000002
【特許請求の範囲】
【請求項１】
ＲＦＩＤを内蔵したＲＦＩＤボタンを有する衣服であって、
ＲＦＩＤボタンを通信不能とするＲＦＩＤ遮断部を有することを特徴とするＲＦＩＤボタン付き衣服。
【請求項２】
前記ＲＦＩＤ遮断部は、ＲＦＩＤボタンを通信不能にする金属片を有することを特徴とする請求項１記載のＲＦＩＤボタン付き衣服。
【請求項３】
前記ＲＦＩＤ遮断部は、ボタンホールを有しており、このボタンホールにＲＦＩＤボタンを留めることによってＲＦＩＤボタンが通信不能とすることを特徴とする請求項１及び請求項２記載のＲＦＩＤボタン付き衣服。
【請求項４】
前記ＲＦＩＤ遮断部は、衣服のボタンを留めるためのボタンホールを有する前立て部に形成されていることを特徴とする請求項１乃至請求項３記載のＲＦＩＤボタン付き衣服。
【請求項５】
前記ＲＦＩＤ遮断部は、ボタンが見えないように比翼仕立てで仕立てられていることを特徴とする請求項１乃至請求項４記載のＲＦＩＤボタン付き衣服。
【請求項６】
前記ＲＦＩＤ遮断部は、ＲＦＩＤボタンを留めるボタンホールを有するボタン係止部と、ＲＦＩＤボタンを見えないようにするボタン目隠し部と、から形成されていることを特徴とする請求項１乃至請求項５記載のＲＦＩＤボタン付き衣服。
【請求項７】
前記ボタン係止部にＲＦＩＤボタンを通信不能にする金属片を有することを特徴とする請求項６記載のＲＦＩＤボタン付き衣服。
【請求項８】
前記ボタン目隠し部にＲＦＩＤボタンを通信不能にする金属片を有することを特徴とする請求項６記載のＲＦＩＤボタン付き衣服。
【発明の詳細な説明】
【技術分野】
【０００１】
本発明は、ＲＦＩＤを内蔵したＲＦＩＤボタンを有する衣服に係り、詳しくは、ボタンホールにＲＦＩＤボタンを留めることによってＲＦＩＤボタンが通信不能となるＲＦＩＤボタン付き衣服に関する。
【０００２】
従来、特許文献に開示されるようなＲＦＩＤを内蔵したＲＦＩＤボタンを付けた衣服がある。ＲＦＩＤボタンを作業着などの衣服に付けることよって、ＲＦＩＤボタンに衣服の管理Ｎｏ、着用者の氏名、サイズ、使用年月日、洗濯日時、洗濯回数などの情報を記憶させておいて、クリーニングのときにＲＦＩＤボタンに記憶させた情報をＲＦＩＤ読取装置によって読取って衣服の管理などを行っていた。
衣服にＲＦＩＤボタンを付ける利点としては、ＲＦＩＤボタンに様々な情報を記憶させることができ、ＲＦＩＤ読取装置で容易にＲＦＩＤボタンに記憶された情報を読取りホストコンピューターなどを用いて管理できるところにある。
【０００３】
しかしながら、ＲＦＩＤボタン付きの衣服を着衣中に、ＲＦＩＤ読取装置でＲＦＩＤボタンに記憶された情報を容易に読取ることができるため、人の行動を監視したり、ＲＦＩＤボタンに個人情報が記憶されていたときは容易に個人情報を外部から読取ることができ、プライバシーの侵害になるという問題があった。
特に海外ではＲＦＩＤ付きの媒体を所持することによって起こる可能性があるプライバシー侵害が問題となっている。
【０００４】
【特許文献１】特開平０９−６２８１７
【特許文献２】特開平０９−６８４８
【特許文献３】特開２００４−３２９８２２
【発明の開示】
【発明が解決しようとする課題】
【０００５】
本発明は、上記のような問題点に着目してなされたものであって、ボタンホールにＲＦＩＤボタンを留めることによってＲＦＩＤボタンが通信不能となり、プライバシーの保護ができるＲＦＩＤボタン付き衣服を提供することを目的とする。
【課題を解決するための手段】
【０００６】
本発明に係るＲＦＩＤボタン付き衣服は、ＲＦＩＤを内蔵したＲＦＩＤボタンを有する衣服であって、ＲＦＩＤボタンを通信不能とするＲＦＩＤ遮断部を有することを特徴とする。
また、ＲＦＩＤ遮断部は、ＲＦＩＤボタンを通信不能にする金属片を有することができる。
また、ＲＦＩＤ遮断部は、ボタンホールを有しており、このボタンホールにＲＦＩＤボタンを留めることによってＲＦＩＤボタンが通信不能とすることができる。
また、ＲＦＩＤ遮断部は、衣服のボタンを留めるためのボタンホールを有する前立て部に形成することができる。
また、前記ＲＦＩＤ遮断部は、ボタンが見えないように比翼仕立て仕立てられていることができる。
また、ＲＦＩＤ遮断部は、ＲＦＩＤボタンを留めるボタンホールを有するボタン係止部と、ＲＦＩＤボタンを見えないようにするボタン目隠し部と、から形成することができる。
また、ボタン係止部にＲＦＩＤボタンを通信不能にする金属片を有することができる。
また、ボタン目隠し部にＲＦＩＤボタンを通信不能にする金属片を有することができる。
【発明の効果】
【０００７】
本発明に係るＲＦＩＤボタン付き衣服は、ＲＦＩＤを内蔵したＲＦＩＤボタンを有する衣服であって、ボタンホールにＲＦＩＤボタンを留めることによってＲＦＩＤボタンが通信不能となるＲＦＩＤ遮断部を有するので、着衣中にＲＦＩＤ読取装置でＲＦＩＤボタンに記憶された情報を読取ることを防止し、プライバシーの保護をすることができる。
【発明を実施するための最良の形態】
【０００８】
以下、本発明に係るＲＦＩＤボタン付き衣服の実施の形態について図面に基づいて詳細に説明する。
【０００９】
図１はＲＦＩＤボタン付き衣服１の斜視図である。
【００１０】
ＲＦＩＤボタン付き衣服１は、ＲＦＩＤボタン２及びボタン３が付いているボタン縫着部４と、ＲＦＩＤボタン２及びボタン３を留める及び外すことができるボタンホール（５、１５）を有する前立て部６と、を有しており、ボタン縫着部４のＲＦＩＤボタン２及びボタン３を前立て部６のボタンホール（５、１５）に留めることによって着衣できると共にＲＦＩＤボタン２が通信不能となる作業着などのワイシャツ形状の衣服である。
【００１１】
ボタン縫着部４は、ＲＦＩＤボタン２及びボタン３（ＲＦＩＤが内蔵されていないボタン）が糸で縫いつけるなどによって取付けられている。ボタン縫着部４にＲＦＩＤボタン２及びボタン３を取付ける取付け方法は、工業用ミシンを用いて糸でＲＦＩＤボタン２及びボタン３を縫いつけることやプラスチック製のボタンの裏留め部品を使うことでも良く、ボタンの構造によって様々である。
【００１２】
ＲＦＩＤボタン２は、図示しないＰＤＡなどの端末によって情報を記憶することができるＲＦＩＤ７を内蔵しているボタンであって、図示しないＲＦＩＤ書込（読取書込）装置によって情報を記憶させることができる。
このＲＦＩＤボタン２に、ＲＦＩＤボタン付き衣服１の着用者の氏名、年齢、住所、血液型などの個人情報を記憶させることによって、図示しないＲＦＩＤ読取装置でＲＦＩＤボタン２を読取るだけで容易に着用者の個人情報を知ることができ、着用者が事故で病院に運ばれたときなどに病院が知りたい情報を容易に入手できるという効果がある。
また、ＲＦＩＤボタン付き衣服１が会社で着用する同種類の作業着のときに、ＲＦＩＤボタン２に、管理Ｎｏ、着用者の氏名、サイズ、使用年月日、洗濯日時、洗濯回数などの管理情報を記憶させることによって、ＲＦＩＤ読取装置でＲＦＩＤボタン２を読取るだけで容易にＲＦＩＤボタン付き衣服１の管理情報を知ることができるため、会社が複数所有しているＲＦＩＤボタン付き衣服１の管理を手間をかけずにできることは勿論のこと、クリーニング店に多数のＲＦＩＤボタン付き衣服１をクリーニングに出しても、ＲＦＩＤボタン２に記憶された使用年月日、洗濯回数などの情報によって一着ごとのＲＦＩＤボタン付き衣服１の劣化状況分かり、更に着用者の氏名などの情報によってクリーニング後に間違いなく着用者に返すための手間がかからないという効果がある。
また、ＲＦＩＤ７は、金属を接触又は極めて近いところに設置することにより、ＲＦＩＤ読取装置からの通信が不能になることが知られている。ＲＦＩＤ７の周波数帯が１３．５６ＨｚのＲＦＩＤ７であってもＵＨＦ帯のＲＦＩＤ７であっても金属を接触又は極めて近いところに設置すると上記説明と同様に通信が不能となる。
【００１３】
前立て部６は、ボタンが見えないように仕立てられている比翼仕立て（フライフロント）に形成されており、ＲＦＩＤボタン付き衣服１の着脱に応じてボタン縫着部４のＲＦＩＤボタン２及びボタン３をボタンホール（５、１５）から留める及び外す（留め外しする）ことができるものであって、ＲＦＩＤボタン２を留める及び外すことができるＲＦＩＤ遮断部８と、ＲＦＩＤボタン以外のボタンを留める及び外すことができるボタン着脱部９と、を有する。
【００１４】
図２は前立て部６のＲＦＩＤ遮断部８及びボタン着脱部９の斜視図である。
【００１５】
ＲＦＩＤ遮断部８は、ＲＦＩＤボタン２を通信不能にするものであって、ＲＦＩＤボタン２を留める及び外すことができるボタンホール５を有するボタン係止部１０と、ＲＦＩＤボタン２を見えないようにするボタン目隠し部１１と、を有しており、ボタン係止部１０のボタンホール５によってＲＦＩＤボタン２を留めると、ボタン目隠し部１１がＲＦＩＤボタン２の上部になり、ＲＦＩＤボタン２を覆い隠すように構成されている。
【００１６】
ボタン係止部１０は、ＲＦＩＤボタン２を留める及び外すことができるボタンホール５を有しており、ＲＦＩＤボタン２を通信不能にするための金属片１２が内蔵されている。
金属片１２は、薄い可撓性のある金属板であって、ＲＦＩＤボタン２を確実に通信不能とするためボタンホール５に近いところだけ凸に形成しても良い。また、金属片１２は、ＲＦＩＤボタン２をボタンホール５に留める及び外す作業の妨げにならないようにボタンホール５の外周付近を避けて構成されており、具体的にはＲＦＩＤボタン２の外周分かＲＦＩＤボタンの外周よりやや大きい穴を開けて構成されている。
【００１７】
ボタン目隠し部１１は、ＲＦＩＤボタン２をボタン係止部１０のボタンホール５に留めたときにＲＦＩＤボタン２を覆い隠すようにするものであって、ＲＦＩＤボタン２を通信不能にする金属片１３が内蔵されている。
金属片１３は、薄い可撓性のある金属板であって、ＲＦＩＤボタン２が見えなくなるように覆い隠すように形成されているボタン目隠し部１１に内蔵しているため、ＲＦＩＤボタン２を通信不能にすることができるものである。
なお、ボタン目隠し部１１は、ＲＦＩＤボタン２を確実に通信不能とするためＲＦＩＤボタン２をボタン係止部１０に留めたときにＲＦＩＤボタン２に近接又は密接した位置に形成することが好ましい。
【００１８】
ボタン着脱部９は、ＲＦＩＤボタン２以外のボタン３の留める又は外すことを行うボタンホール１５を有している。
なお、ボタン着脱部９は、ＲＦＩＤボタン２を留めるものではないので比翼仕立てでなくてもかまわない。
【００１９】
ＲＦＩＤ遮断部８とボタン着脱部９の境目に、ＲＦＩＤ遮断部８のボタン目隠し部１１とボタン係止部１０が、ボタン縫着部４側に対して開口するように糸によって縫いつけられた縫代１６が形成されており、この縫代１６によってＲＦＩＤ遮断部８の金属片（１２、１３）をＲＦＩＤ遮断部８から移動しないように固定している。
また、ＲＦＩＤ遮断部８のボタン縫着部４と反対側には、ＲＦＩＤボタン２に金属片（１２、１３）を密接させるための縫代１７が形成されており、縫代（１６、１７）によってＲＦＩＤ遮断部８は、ボタン着脱部９に対して開口する袋形状に形成される。
【００２０】
また、ＲＦＩＤ遮断部８のボタン係止部１０及びボタン目隠し部１１は、金属片（１２、１３）が曲がる及び折れるなどの交換が必要となったときに交換しやすいように、金属片（１２、１３）とボタン係止部１０及びボタン目隠し部１１にベルクロファスナを貼り付けておき、このベルクロファスナによって金属片（１２、１３）をボタン係止部１０及びボタン目隠し部１１に貼り付ける構成にすることやボタン係止部１０及びボタン目隠し部１１に金属片（１２、１３）を入れるポケットを設ける構成にしても良い。
【００２１】
図３は、ＲＦＩＤボタン２をＲＦＩＤ遮断部８に留めた状態を示す側面図である。
【００２２】
図３に示すように、ＲＦＩＤボタン２をＲＦＩＤ遮断部８に留めると、ボタン係止部１０の金属片１２とボタン目隠し部１１の金属片１３がＲＦＩＤボタン２に接近するため、ＲＦＩＤボタン２は通信不能となり、ＲＦＩＤ読取装置によってＲＦＩＤボタン２に記憶させた情報を読取ることができない。
【００２３】
上述したようにＲＦＩＤボタン付き衣服１を構成することによって、着衣中であってもＲＦＩＤボタン２をＲＦＩＤ遮断部８に留めていればＲＦＩＤボタン２に記憶させた情報をＲＦＩＤ読取装置で読取ることができず、人の行動を監視したり、ＲＦＩＤボタン２に個人情報が記憶されていたときは容易に個人情報を外部から読取るというプライバシーの侵害を回避でき、ＲＦＩＤボタン付き衣服１を脱衣したときは、ＲＦＩＤボタン２をＲＦＩＤ遮断部８から外していれば、ＲＦＩＤボタン２に記憶させた情報をＲＦＩＤ読取装置で読取ることができるため、多数のＲＦＩＤボタン付き衣服１の管理やクリーニングのときに間違いなく着用者に返すことができるという効果を有する。
【００２４】
なお、本発明が上記実施の形態に限定されず、本発明の技術思想の範囲内において、実施の形態は適宜変更可能である。また、上記構成要件の数、位置、形状等は上記実施の形態に限定されず、本発明を実施する上で好適な数、位置、形状等にすることができる。
【図面の簡単な説明】
【００２５】
【図１】図１はＲＦＩＤボタン付き衣服の斜視図である。
【図２】図２はＲＦＩＤ遮断部及びボタン着脱部の斜視図である。
【図３】図３は、ＲＦＩＤボタンをＲＦＩＤ遮断部に留めた状態を示す側面図である。
【符号の説明】
【００２６】
１      ＲＦＩＤ付き衣服
２      ＲＦＩＤボタン
３      ボタン
４      ボタン縫着部
５      ボタンホール
６      前立て部
７      ＲＦＩＤ
８      ＲＦＩＤ遮断部
９      ボタン着脱部
１０    ボタン係止部
１１    ボタン目隠し部
１２    金属片
１３    金属片
１５    ボタンホール
１６    縫代
１７    縫代
【図１】
2008018051.tif 000003
【図２】
2008018051.tif 000004
【図３】
2008018051.tif 000005